(57)【要約】  引き裂き式開封口を伴う、粒状、糊状、または液状の製品のための容器が開示されている。引き裂きの間、上記引き裂きが分離線（６）に沿って真っ直ぐに進行するように、上記容器の上部エッジ（２）に対して平行に延伸している上記分離線（６）によって２つのスライス（４、５）になるように切り込みの入ったストリップ（３）が、上記容器の内側において、上記引き裂き式開封口に用いられている。
2013500911.tif 000002
【特許請求の範囲】
【請求項１】
容器の上部エッジ（２）または容器の上部エッジ（２）付近にて、上部が接合部（ＳＰ）によって密閉された、上記接合部（ＳＰ）の下に引き裂き式開封口を備えている、可撓性物質により形成された容器であって、
引き裂きを実行する間、上記引き裂きが分離線（６）に沿って進行するように、上記容器の上記上部エッジ（２）に対して平行に延伸している分離線（６）に沿って２つのハーフまたはスライス（４）および（５）になるよう切り込みの入った、シート状物質により形成されたストリップ（３）が、上記容器の内側において、上記接合部（ＳＰ）の下の上記引き裂き式開封口に用いられている、
ことを特徴とする容器。
【請求項２】
上記切り込みの入ったストリップ（３）は、上記容器（１０）の対向する壁面の内部に用いられている、
ことを特徴とする請求項１に記載の容器。
【請求項３】
上記切り込みの入ったストリップ（３）は、上記容器（１０）の長さの全部または一部に亘り用いられている、
ことを特徴とする請求項１または２に記載の容器。
【請求項４】
引き裂き促進ノッチ（２０）が、上記切り込みの入ったストリップ（３）の上記スライス（４）および（５）の間にある上記分離線（６）と一直線を成して上記容器の側部エッジに設けられている、
ことを特徴とする請求項１から３の何れか１項に記載の容器。
【請求項５】
上記切り込みの入ったストリップ（３）は、上記容器の両方の側部にて熱融着性であり、上記容器（１０）の内部にて熱融着されることができ、上記切り込みの入ったストリップ（３）が形成されている領域において上記容器を密閉するための接合が実行される、
ことを特徴とする請求項１から４の何れか１項に記載の容器。
【請求項６】
上記容器は、多層物質により形成されており、
内部層は、ポリエチレンのような熱融着性物質により形成されている、
ことを特徴とする請求項１から５の何れか１項に記載の容器。
【請求項７】
上記切り込みの入ったストリップ（３）は、多層シート状物質により形成されており、
外部は、ポリエチレンまたはその派生物のような熱融着性物質により形成されている、
ことを特徴とする請求項１から６の何れか１項に記載の容器。
【請求項８】
形状が、下部蛇腹式密閉部（Ｆ１）および上部蛇腹式密閉部（Ｆ２）を伴う平行六面体である、
ことを特徴とする請求項１から７の何れか１項に記載の容器。
【請求項９】
上記容器（１０）は、直立式タイプのものである、
ことを特徴とする請求項１から７の何れか１項に記載の容器。
【請求項１０】
上記容器は、粒状、糊状、または液状の物質等を包含することに適している、
ことを特徴とする請求項１から９の何れか１項に記載の容器。
【発明の詳細な説明】
【技術分野】
【０００１】
本発明は、引きちぎり式または引き裂き式の開封口を伴った、粒状、糊状、または液状の製品のための、可撓性物質により形成された容器に関する。
【背景技術】
【０００２】
本発明に係る容器は、例えば、補強された底部を有しており、側部エッジおよび上部エッジに沿って熱融着された２つの側部壁面がそこから延伸している直立式容器、すなわち製品が充満される際に自立する容器のようなあらゆるタイプの既知の容器であってもよく、または上部および下部の蛇腹式密閉部を伴う平行六面体形状の容器であってもよい。
【０００３】
引き裂き式開封口を伴う上述のタイプの容器または他の同様な容器は、容器の上部エッジ付近に、その片側において、物質の引き裂きを促進するための切り込みまたはノッチを有している。この引き裂きは、容器の上部エッジに対して平行に進行するべきであるが、通常、このようなことは起こらない。
【０００４】
容器を直線的に切断しようとするために、切り込みは、容器を形成する標準的な多層物質の、例えばポリエステルで出来た外部層において、通常、レーザによって為されるべきであると提案されてきた。
【０００５】
しかしながら、容器の側部に形成された引き裂き促進ノッチが、レーザ切り込みと完全には一直線上に存在しないということが起こり得てしまい、直線的な切り込みから逸脱して引き裂いてしまう原因となる。これは、引き裂き促進ノッチが切り込みと完全に一直線上に存在していたとしても起こり得る。
【０００６】
この欠点を一部分において克服しようとするために、引き裂き促進ノッチが２つのレーザ切り込みの間に形成され、それらの間にて引き裂きが進行することを保証するように、３−４ｍｍ離れていて互いに平行である２つのレーザ切り込みを形成することも提案されてきた。
【０００７】
レーザ装置を設置する必要があるため、先行技術に係るこれらのシステムも、とりわけ、コストが高くなってしまう。
【０００８】
レーザ出力の設定を誤ってしまうと、外部層の切り込みに加えて、容器全体または中間バリア層を切断する危険性があり、それ故にバリア効果を消失する危険性があることも考慮されるべきである。
【０００９】
米国特許第５，５５２，２０２号明細書は、１対の対向しているベースストリップおよび１対の対向している引き裂きガイドストリップを備えている容器を開封するための引き裂きガイドの構成を開示している。ベースストリップは、弾力のあるポリマー物質により形成されており、一方、引き裂きガイドストリップは、ベースストリップの弾性物質よりも実質的に高い抗張力を有する堅いまたは頑丈なポリマー物質により形成されている。引き裂きガイドストリップの堅いポリマー物質は、引き裂きガイドストリップが対応するベースストリップから綺麗に分離させることを保証し、この堅い物質が、結合を破断させるために重要な重量を提供する。
【発明の概要】
【発明が解決しようとする課題】
【００１０】
本発明の目的は、開封時に確実に真っ直ぐに引き裂くことを保証する容器を提供することによって、先行技術に係る上述のシステムの欠点を克服することにある。
【００１１】
本発明の他の目的は、製造するのに簡単で安価な、このような引き裂き式開封口を伴う容器を提供することにある。
【課題を解決するための手段】
【００１２】
これらの目的は、側部壁面に熱融着された、２つのスライスになるように長手方向に切り込みの入ったストリップを上部エッジ付近にて側部壁面の内側に有している、本発明に係る容器によって実現される。ストリップの切断線と一直線上にある引き裂き促進ノッチが、容器の側部エッジの片側に有益に設けられている。
【００１３】
この態様では、容器が開封される場合、ストリップの２つの別々なスライスにて対向する牽引力が用いられるや否や、順々に引き裂かれていくスライスを成す物質が存在することにより、引き裂きが分離線から逸脱することなく分離線に沿って真っ直ぐに進行する。
【図面の簡単な説明】
【００１４】
本発明の更なる特徴は、以下に付属された図面にて説明されている、単に例示的であり、それ故に限定的ではない本発明の実施形態を参照することにより、以下の発明を実施するための形態により明らかになるであろう。
【図１】本発明に係る、引き裂き式開封口を伴う容器が得られるダイカットブランクの内側からの平面図である。
【図２】図１に係るダイカットブランクの上部右隅部の拡大図である。
【図３】本発明に係る容器の形成における２つの連続的な状態を図式的に示している。
【図４】本発明に係る容器の形成における２つの連続的な状態を図式的に示している。
【図５】図４に係る容器の細部の拡大図である。
【図６】引き裂き状態の始まりを示している、図５と同様の図面である。
【発明を実施するための形態】
【００１５】
図４を参照すると、以下においてより詳細に記載されている本発明の引き裂き式開封口システムが用いられ得る、符号１０により示されている単に例示的な容器が、略平行六面体の形状を有しており、底部壁面または基底１１、上部壁面１２、前部壁面１３、後部壁面１４、および２つの側部壁面１５および１６を有している。
【００１６】
この容器は、容器１０を形成するために適切な長さに切断された後の、内側層が熱融着可能である多層シート状物質のストリップから始まって形成される。このストリップは、通常は垂直に配置される主軸に沿って提供され、主軸の周りに長手方向の接合部Ｓによって密閉される。そして、横方向の熱融着部ＳＩおよびこれに続く蛇腹折りＦ１により底部にて密閉された筒が形成される（図４）。
【００１７】
袋形状である、底部にて密閉された筒は、所定量の粒状、糊状、または液状の製品で充填され、続いて、他の横方向の接合部ＳＰおよびこれに続く蛇腹折りＦ２によって上部にて密閉される。
【００１８】
図１は、図示された容器を得るための折り線を伴う、容器１０の内側から見た展開図を示している。
【００１９】
上述のように、容器を形成する物質は、通常、例えばポリエチレンのような熱融着可能な内側層、および、可能であればアルミニウムのような中間バリア層を伴う多層の物質である。外側層はポリエステルであることが有益である。
【００２０】
本発明によれば、ダイカットブランク１の上部エッジ２付近であり、上部接合部ＳＰが形成される領域の下に、ダイカットブランク１または容器１０の上部エッジ２に対して平行に延伸している切断線６に沿って、長手方向に２つのハーフまたはスライス４および５になるよう切り込みが入ったストリップ３が、ダイカットブランクの内側において形成されている。
【００２１】
ストリップまたはリボン３は両側が熱融着可能であり、その結果、ストリップまたはリボン３は容器１０の内側壁面に熱融着可能であり、ストリップが用いられている領域での垂直接合部Ｓの部分では、ストリップまたはリボン３が在ることによって、容器を頑丈に密封するための接合が為される。
【００２２】
ストリップ３も多層シート状物質で出来ており、その外側の熱融着可能な層は、例えば、ポリエチレンまたはその派生物である。
【００２３】
ストリップ３、または、むしろ長手方向の切断線６によって分離された２つのスライス４および５が、図３に示されているように、容器１０の内側に、少なくとも対向している前部壁面１３および後部壁面１４に形成されている。
【００２４】
ストリップ３の切断線６と一直線上にあるノッチ２０（図５）は、容器の側部エッジに、引き裂き促進部として機能するように形成されている。
【００２５】
容器を開封しようと容器の上部エッジにてストリップ３のスライス４および５を反対方向に引くことにより、図６に図式的に示されているように、容器の物質をスライス４および５の間にある分離線６に沿って完璧に真っ直ぐ引き裂くことができる。
【００２６】
引き裂きがそれに沿って進行する一種の軌道を形成している、２つのスライス４および５の間にある分離線６により、容器を真っ直ぐ引き裂くことが保証されている。
【００２７】
実際は、引き裂きが分離線６から逸脱するということは、引き裂きが２つのスライス４および５の何れかにおいて起こるということを意味しているが、スライスを成す物質の抵抗が克服されなければならないとすると、これは極端に有り得ないことである。
【００２８】
本発明は、切り込みの入ったストリップ３が最小の厚みでさえ所望の目的を実現するが、その厚みがより大きくなるほど、ストリップの分離線６に従って引き裂けることがより保証されることは明白である。
【００２９】
出願人は、様々なタイプの容器に対して数多くのテストを実行し、本発明に従った引き裂き式開封口システムの完全なる実行を証明することができた。
【００３０】
それ故、例えば添付の図面に示された容器では、物質が重なり合う垂直接合部Ｓであるが、いかなる場合においてもスライス４および５の間に分離線６が存在する垂直接合部Ｓによって影響を及ぼされた領域においてすら特別な問題なしに引き裂きが進行することを確かめることができた。
【００３１】
添付の図面では、切り込みの入ったストリップ３は、容器の水平方向の全範囲に沿って設けられたが、特に容器を完全に開封する必要がない場合、好ましくはその側部に到達している、容器が形成された状態では対向するようになる所定の領域に設けられ得ることは明白である。
【００３２】
図面では、Ｓ字形状の垂直接合部を伴う筒から得られた平行六面体の容器が示されているが、本発明に係る引き裂き式開封口システムは、直立式容器と同様に、例えば容器の４つの垂直なエッジに沿って「フィン」式の密閉を伴うような他のタイプの容器等に用いられ得る。
【００３３】
本発明が、上述されつつ添付の図面に示されている特定の実施形態に限定的でないことは明白であるが、添付の特許請求の範囲に明記されている本発明の範疇から逸脱することなく、当業者の理解できる範囲において、詳細の様々な変更が為されてもよい。
【図１】
2013500911.tif 000003
【図２】
2013500911.tif 000004
【図３】
2013500911.tif 000005
【図４】
2013500911.tif 000006
【図５】
2013500911.tif 000007
【図６】
2013500911.tif 000008
【国際調査報告】
2013500911.tif 000009
2013500911.tif 000010
2013500911.tif 000011